(57)【要約】【課題】画像形成装置の省電力と、遠隔から電源オンして画像形成装置を利用するユーザの利便性の双方を実現すること。【解決手段】  プリンタ２０は、通信媒体を介して受信した電源オン要求（リモートオン要求）に応じて電源オン（リモートオン）した場合に、プリンタ２０本体の電源をオフにするための電源スイッチ２１６が押下された場合（Ｓ４０４でＹｅｓ）、プリンタ２０の電源がオフになることをリモートオン要求元に通知する（Ｓ４０６）。そして、プリンタ２０は、前記通知に応じて前記リモートオン要求元から電源オフを承諾する旨の応答を受信した場合（Ｓ４０８でＹｅｓ）、プリンタ２０の電源をオフする制御を行う（Ｓ４１２〜Ｓ４１４）。【選択図】図４
2015003451.tif 000002
【特許請求の範囲】
【請求項１】
通信媒体を介して受信した電源オン要求に応じて電源オン可能な画像形成装置であって、
前記電源オン要求に応じて電源オンされた後に前記画像形成装置の電源をオフにするための電源スイッチが押下された場合、前記画像形成装置の電源がオフになることを前記電源オン要求元に通知する通知手段と、
前記通知に応じて前記電源オン要求元から電源オフを承諾する旨の応答を受信した場合、前記画像形成装置の電源をオフする制御を行う制御手段と、
を有することを特徴とする画像形成装置。
【請求項２】
前記電源オン要求に応じて電源オンされた場合の該電源オン要求元の情報を保持する保持手段を設け、
前記通知手段は、前記電源オン要求に応じて電源オンされた後に前記画像形成装置の電源をオフにするための電源スイッチが押下された場合、前記保持された情報に基づいて、前記画像形成装置の電源がオフになることを前記電源オン要求元に通知することを特徴とする請求項１に記載の画像形成装置。
【請求項３】
前記制御手段は、前記通知に応じて前記電源オン要求元から電源オフを承諾する旨の応答を受信した場合、前記画像形成装置の操作部に、前記画像形成装置の電源オフを開始する旨を表示する制御を行うことを特徴とする請求項１又は２に記載の画像形成装置。
【請求項４】
前記制御手段は、前記通知に応じて前記電源オン要求元から電源オフを承諾しない旨の応答を受信した場合であって、所定時間以内に前記電源オン要求元からの印刷要求がなかった場合、前記画像形成装置の電源をオフする制御を行うことを特徴とする請求項１乃至３のいずれか１項に記載の画像形成装置。
【請求項５】
前記制御手段は、前記通知に応じて前記電源オン要求元から電源オフを承諾しない旨の応答を受信した場合、前記画像形成装置の操作部に印刷待ち状態であることを表示する制御を行うことを特徴とする請求項１乃至４のいずれか１項に記載の画像形成装置。
【請求項６】
前記通知手段は、前記電源オン要求に応じて電源オンされた後に前記画像形成装置の前記電源スイッチが押下された場合、前記画像形成装置の操作部に、前記電源オン要求に応じて電源オンされていることを示す表示を行うことを特徴とする請求項１乃至５のいずれか１項に記載の画像形成装置。
【請求項７】
設定される電源オフ時間に前記画像形成装置の電源をオフする電源オフ手段を有し、
前記通知手段は、前記電源オフ時間が設定されている場合、前記電源オン要求に応じて電源オンされた後に、前記電源オフ時間を前記電源オン要求元に通知することを特徴とする請求項１乃至６のいずれか１項に記載の画像形成装置。
【請求項８】
前記通知手段は、前記電源オフ時間までの残り時間が所定時間以内となった場合、前記電源オフ時間までの残り時間を、前記電源オフ時間を前記電源オン要求元に通知することを特徴とする請求項７に記載の画像形成装置。
【請求項９】
前記画像形成装置は、前記通信媒体を介して受信した電源オフ要求に応じて電源オフ可能であり、
前記通知手段は、前記電源オン要求に応じて電源オンされた後に前記電源オン要求元とは異なる要求元から前記電源オフ要求を受信した場合、前記異なる要求元から前記画像形成装置の電源オフ要求があったことを前記電源オン要求元に通知し、
前記制御手段は、前記通知に応じて前記電源オン要求元から電源オフを承諾する旨の応答を受信した場合、前記画像形成装置の電源をオフすることを特徴とする請求項１乃至８のいずれか１項に記載の画像形成装置。
【請求項１０】
前記制御手段は、前記電源オフ要求を受信した場合の通知に応じて前記電源オン要求元から電源オフを承諾する旨の応答を受信した場合、前記電源オフ要求元に、前記電源オン要求元から電源オフを承諾したことを示す通知を行うことを特徴とする請求項９に記載の画像形成装置。
【請求項１１】
前記制御手段は、前記電源オフ要求を受信した場合の通知に応じて前記電源オン要求元から電源オフを承諾しない旨の応答を受信した場合、前記電源オフ要求をキャンセルすることを特徴とする請求項９又は１０に記載の画像形成装置。
【請求項１２】
前記制御手段は、前記電源オフ要求を受信した場合の通知に応じて前記電源オン要求元から電源オフを承諾しない旨の応答を受信した場合、前記電源オフ要求をキャンセルしたことを、前記電源オフ要求元に通知することを特徴とする請求項１１に記載の画像形成装置。
【請求項１３】
前記通知手段は、前記電源オン要求に応じて電源オンされた後に前記電源オン要求元とは異なる要求元から前記電源オフ要求を受信した場合、前記電源オフ要求元に、前記電源オン要求に応じて電源オンされていることを通知することを特徴とする請求項９乃至１２のいずれか１項に記載の画像形成装置。
【請求項１４】
前記通知手段は、前記電源オン要求に応じて電源オンされた場合に前記画像形成装置がエラー状態の場合、前記画像形成装置のエラー状態を、前記電源オン要求元に通知することを特徴とする請求項１乃至１３のいずれか１項に記載の画像形成装置。
【請求項１５】
前記制御手段は、前記通知手段により前記画像形成装置のエラー状態が通知された後に、前記画像形成装置の電源をオフする制御を行うことを特徴とする請求項１４に記載の画像形成装置。
【請求項１６】
通信媒体を介して受信した電源オン要求に応じて電源オン可能な画像形成装置の制御方法であって、
前記電源オン要求に応じて電源オンされた後に前記画像形成装置の電源をオフにするための電源スイッチが押下された場合、前記画像形成装置の電源がオフになること前記電源オン要求元に通知する通知ステップと、
前記通知に応じて前記電源オン要求元から電源オフを承諾する旨の応答を受信した場合、前記画像形成装置の電源をオフする制御を行う制御ステップと、
を有することを特徴とする画像形成装置の制御方法。
【請求項１７】
コンピュータを、請求項１乃至１５のいずれか１項に記載された手段として機能させるためのプログラム。
【発明の詳細な説明】
【技術分野】
【０００１】
本発明は、遠隔より電源操作可能な画像形成装置の制御に関する。
【背景技術】
【０００２】
電子機器においては、いかに消費電力の抑制を実現させるかが大きな課題となっている。画像形成装置に関しても、装置が一定時間使用されてなかった場合や、予め設定された時間となった場合、使用頻度が著しく低いと思われる時間帯などで、例えば定着器のプレヒート機能の遮断や、ＣＰＵの電力を遮断する機能を備えている。この機能は、印刷などを行うまでには時間がかかるが、無駄な電力消費を抑制することが可能であり、スリープモードや省エネモードと呼ばれる電力消費抑制の手段である。スリープモードや省エネモードでは、ネットワークからの印刷に対応可能なように必要最小限の範囲で一機能部分へと電力を供給する構成となっている。
【０００３】
従来の省電力技術として、例えば画像形成装置の時刻毎にスリープ移行時間（スリープモードに移行するまでの画像形成装置の未使用状態の経過時間の閾値）の設定を可能とする方法がある（特許文献１参照）。また、ネットワークシステム上にある機器の使用頻度に応じて、端末機器のそれぞれのスリープ移行時間を決定する方法などがある（特許文献２参照）。
【０００４】
また、予め機器を使用しないと想定される時間を設定しておき、自動的に機器の電源を遮断する機能（オートシャットダウン機能）を備える装置もある。さらに、消費電力を積極的に抑制させるために、電子機器において使用がないと思われるときには、機器本体の電源スイッチを離れた場所からオフし、電源を遮断する方法もある（特許文献３参照）。
【０００５】
また、電子機器において、専用の信号を設けることなく、ホストからネットワークを介して電源オン・オフのコマンドを受信して機器の電源をオン・オフする遠隔制御方法がある（特許文献４参照）。なお、この遠隔制御方法では、ホストから状態読み出しコマンドを受信して機器のオン・オフのステータスをホストに対して応答することも可能である。
【先行技術文献】
【特許文献】
【０００６】
【特許文献１】特開２００２−０７７４７８号公報
【特許文献２】特開２００２−０９９４００号公報
【特許文献３】特開２００９−２０８３９９号公報
【特許文献４】特開平１０−１２４１９１号公報
【発明の概要】
【発明が解決しようとする課題】
【０００７】
上述の従来技術を画像形成装置に用いる場合、利用者が印刷したい時にホスト側より電源オン命令を送信し、遠隔で電源オンして使用する場合が想定される。
【０００８】
しかしながら、遠隔制御により電源オンした後に、別の利用者が画像形成装置本体の電源スイッチから電源オフしてしまう場合や、オートシャットダウンが実行された場合、上記遠隔電源オンした利用者は電源オフとなったことに気づかない。このため、上記遠隔電源オンした利用者は、電源オフとなったことを知らず印刷実行してしまう可能性がある。さらに、電源オフされた画像形成装置を利用するためには、再度、電源をオンする必要が生じてしまう。
【０００９】
本発明は、上記の問題点を解決するためになされたものである。本発明の目的は、画像形成装置の省電力と、遠隔から電源オンして画像形成装置を利用するユーザの利便性の双方を実現し、環境保護とユーザ利便性の双方を高次元に実現する印刷環境を構築できる仕組みを提供することである。
【課題を解決するための手段】
【００１０】
本発明は、通信媒体を介して受信した電源オン要求に応じて電源オン可能な画像形成装置であって、前記電源オン要求に応じて電源オンされた後に前記画像形成装置の電源をオフにするための電源スイッチが押下された場合、前記画像形成装置の電源がオフになることを前記電源オン要求元に通知する通知手段と、前記通知に応じて前記電源オン要求元から電源オフを承諾する旨の応答を受信した場合、前記画像形成装置の電源をオフする制御を行う制御手段と、を有することを特徴とする。
【発明の効果】
【００１１】
本発明によれば、画像形成装置の省電力と、遠隔から電源オンして画像形成装置を利用するユーザの利便性の双方を実現することができる。これにより、環境保護とユーザ利便性の双方を高次元に実現する印刷環境を構築できる。
【図面の簡単な説明】
【００１２】
【図１】本発明の一実施例を示す画像形成システムを例示する図。
【図２】プリンタのハードウェア構成を例示する図。
【図３】ＰＣのハードウェア構成を例示する図。
【図４】画像形成装置の動作の一例を示すフローチャート。
【図５】画像形成装置の動作の一例を示すフローチャート。
【図６】画像形成装置の動作の一例を示すフローチャート。
【図７】画像形成装置の動作の一例を示すフローチャート。
【図８】遠隔から電源オン要求したＰＣの情報を例示する図。
【図９】電源オン要求情報及び電源オフ要求情報を例示する図。
【図１０】プリンタの状態と遠隔要求の可否関係を例示する図。
【図１１】プリンタからの通知内容を表示する表示画面を例示する図。
【図１２】プリンタから電源オン要求元への通知状態を例示する図。
【図１３】ＰＣでのプリンタ状態確認状況を例示する図。
【発明を実施するための形態】
【００１３】
以下、本発明を実施するための形態について図面を用いて説明する。
図１は、本発明の一実施例を示す画像形成システムの構成の一例を示す図である。
図１に示すように、ネットワーク３０を経由して、一般的なホストコンピュータ１０_ａ、１０_ｂ、１０_ｃ（以下、ＰＣ１０）と、プリンタ２０が接続されており、各々ＰＣ１０とプリンタ２０とが通信可能な構成となっている。また、ネットワーク３０とは別の通信媒体を介してＰＣ１０とプリンタ２０が通信可能な構成であっても良いことは言うまでもない。
【００１４】
詳細は後述するが、プリンタ２０は、ネットワーク３０等の通信媒体を介してＰＣ１０等から受信した電源オン要求に応じて電源オン可能な画像形成装置である。また、プリンタ２０は、ネットワーク３０等の通信媒体を介してＰＣ１０等から受信した電源オフ要求に応じて電源オフ可能な画像形成装置である。
【００１５】
図２は、プリンタ２０のハードウェア構成の一例を示すブロック図である。
プリンタコントローラ２００において、ＣＰＵ２０３は、システムバス２１２に接続され、ＲＯＭ２０４に格納された制御プログラム等に基づいて、システムバス２１２に接続された各種デバイスとのアクセスを総括的に制御する。また、ＣＰＵ２０３は、プリンタエンジンＩ／Ｆ２０６を介して接続されるプリンタエンジン部（印刷部）２０１に出力情報としての画像信号を出力する。
【００１６】
ＲＯＭ２０４は、ＣＰＵ２０３の制御プログラムや各種データ等をコンピュータ読み取り可能に記憶する。ＲＡＭ２０５は、ＣＰＵ２０３のメインメモリ、ワークエリア等として機能するＲＡＭで、図示しない増設ポートに接続されているオプションＲＡＭによりメモリ容量を拡張することができるように構成されている。なお、ＲＡＭ２０５は、出力情報の展開領域等に用いられる。
【００１７】
操作部２０２は、プリンタ２０を操作のためのスイッチ及びＬＥＤ表示器等が配置されており、操作部Ｉ／Ｆ２０７を介してシステムバス２１２と接続される。操作部２０２から入力された、モード情報等は、不揮発性メモリ２０９に記憶させるようにしてもよい。
【００１８】
Ｌｏｃａｌ Ｉ／Ｆ２１１は、例えばＵＳＢ（デバイス）Ｉ／Ｆ等であり、ホストコンピュータ等の上位装置と直接接続され、印刷データ等のやり取りを行う。ＮＷ Ｉ／Ｆ２０８は、図示しないネットワークＰＨＹを介して、システムバス２１２と接続される。スイッチ２１７は、例えば、ＦＥＴ（Field effect transistor）等で構成され、ＣＰＵ２０３又はＮＷ Ｉ／Ｆ２０８からの指示により、コントローラ２００内の電力供給する部分を切り替える（詳細は後述する）。なお、ＣＰＵ２０３及びＮＷ Ｉ／Ｆ２０８とスイッチ２１７とは、バス２１２を介して接続されていてもよいし、専用線により接続されていてもよい。
【００１９】
電源制御部２１４は、電源制御Ｉ／Ｆ２１３を介してプリンタコントローラ２００と接続し、電源ユニット２１５からの出力を制御する。電源ユニット２１５からは、コントローラ２００とプリンタエンジン２０１へと破線で示すように、各々電源が供給される構成である。
【００２０】
電源スイッチ２１６はメインの電源スイッチであり、プリンタ２０の電源をオン・オフするためのものである。プリンタ２０は、電源スイッチ２１６に対するユーザの押下操作により、プリンタ２０本体の電源をオン・オフすることが可能な構成である。電源スイッチ２１６は、電源制御部２１４と接続されており、電源スイッチ２１６のオン・オフ状態は、電源制御Ｉ／Ｆ２１３を介して、コントローラ２００で検出することが可能である。
【００２１】
なお、スタンバイ状態では、電源ユニット２１５は、プリンタコントローラ２００、プリンタエンジン２０１、操作部２０２へ電力供給を行う。また、電源スイッチ２１６により電源オフされた状態では、電源ユニット２１５は、プリンタコントローラ２００、プリンタエンジン２０１、操作部２０２への電力供給を遮断する。また、スリープ状態（省電力状態ともいう）では、電源ユニット２１５は、プリンタコントローラ２００にのみ電力供給し、プリンタエンジン２０１、操作部２０２への電力供給を遮断する。ただし、スリープ状態では、プリンタコントローラ２００に供給される電力は、スイッチ２１７により、ＮＷ Ｉ／Ｆ２０８に供給され、ＮＷ Ｉ／Ｆ２０８以外には供給されないように構成されている。
【００２２】
また、ＰＣ１０からリモートオフされた状態（以下、リモートオフ状態、遠隔電源オフ状態という）では、電源ユニット２１５は、プリンタコントローラ２００にのみ電力供給し、プリンタエンジン２０１、操作部２０２への電力供給を遮断する。ただし、リモートオフ状態では、プリンタコントローラ２００に供給される電力は、スイッチ２１７により、ＮＷ Ｉ／Ｆ２０８に供給され、ＮＷ Ｉ／Ｆ２０８以外には供給されないように構成されている。また、ＰＣ１０からリモートオンされた状態（以下、リモートオン状態、遠隔電源オン状態という）では、電源ユニット２１５は、プリンタコントローラ２００、プリンタエンジン２０１、操作部２０２へ電力供給を行う。なお、スリープ状態とリモートオフ状態とで、またスタンバイ状態とリモートオン状態とで、電源ユニット２１５により電力供給を行う箇所が同じ場合を示したが、これらの状態で電力供給を行う箇所が異なっていてもよい。
【００２３】
なお、スタンバイ状態とリモートオン状態では、コントローラ２００が、ネットワーク３０を介してＰＣ１０等からジョブを受け付ける。また、スリープ状態では、ＮＷ Ｉ／Ｆ２０８が、ネットワーク３０を介してＰＣ１０等からジョブを受け付ける。また、リモートオフ状態では、ＮＷ Ｉ／Ｆ２０８は、ネットワーク３０を介してＰＣ１０等からリモートオンコマンドを受け付けるが、ジョブは受け付けない。
【００２４】
なお、リモートオンコマンドを受け付け可能なＰＣを予め登録しておき、該登録されたＰＣからのリモートオンコマンドのみを受け付け、該登録されたＰＣ以外からのリモートオンコマンドを無視するように構成してもよい。なお、この登録情報は、ＮＷ Ｉ／Ｆ２０８内の図示しないフラッシュメモリに記憶されるものとする。
【００２５】
また、プリンタコントローラ２００は、スタンバイ状態とリモートオン状態では、ＰＣ１０からの問い合わせに応じて、プリンタ２０の電力状態をＰＣ１０に通知する。スリープ状態とリモートオフ状態では、ＮＷ Ｉ／Ｆ２０８が、ＰＣ１０からの問い合わせに応じて、プリンタ２０の電力状態をＰＣ１０に通知する。なお、プリンタ２０は、リモートオフ状態では、上記登録情報に登録されたＰＣ１０にのみ、リモートオフ状態であることを通知し、他のＰＣに対しては、電源オフであると通知してもよい。これにより、上記登録情報に登録されたＰＣでは、上記通知に応じてリモートオフ状態であることがディスプレイに表示され、ユーザはリモートオン指示が可能であることを認識できる。一方、上記登録情報に登録されていないＰＣでは、上記通知に応じて電源オフ状態であることがディスプレイに表示され、ユーザはリモートオン指示が不可能であることを認識できる。
【００２６】
図３は、ＰＣ１０のハード構成の一例を示すブロック図である。
図３に示すように、ＣＰＵ３０１、ＲＯＭ３０２、ＲＡＭ３０３、ネットワークインターフェースコントローラ（ＮＩＣ）３０４がバス３０９を介して接続されている。また、キーボードコントローラ（ＫＢＣ）３０５、ディスクコントローラ（ＤＫＣ）３０６、ローカルインターフェースコントローラ（ＬＩＣ）３０７、ＣＲＴコントローラ（ＣＲＴＣ）３０８もバス３０９を介して接続されている。
【００２７】
ネットワークインターフェースコントローラ（ＮＩＣ）３０４には、図示しないイーサネット（登録商標）ケーブル等が接続される。キーボードコントローラ（ＫＢＣ）３０５には、キーボード３１１およびマウス３１２が接続されている。ディスクコントローラ（ＤＫＣ）３０６には、ハードディスクドライブ（ＨＤＤ）３１０が接続されている。ローカルインターフェースコントローラ（ＬＩＣ）３０７は、例えばＵＳＢなどのローカルインターフェースを介して周辺機器が接続される。ＣＲＴコントローラ（ＣＲＴＣ）３０８には、ディスプレイ３１３が接続されている。
【００２８】
ＲＯＭ３０２には、基本Ｉ／Ｏプログラムやオペレーティングシステム（ＯＳ）などがコンピュータ読み取り可能に格納されている。ＣＰＵ３０１は、ＯＳの実行に基づき、アプリケーションプログラムを管理および実行する。
【００２９】
以下、プリンタ２０に遠隔より電源オン要求があり、電源オンした後に、プリンタ２０の電源スイッチ２１６が、押下されてしまった場合の処理を、図４のフローチャートを用いて説明する。
図４は、画像形成装置の動作の一例を示すフローチャートであり、特に遠隔制御により電源オンした後にプリンタ２０本体の電源スイッチ２１６を押下された場合の動作を示す。なお、本フローチャートに係る制御プログラムは、ＲＯＭ２０４に記憶されており、ＲＡＭ２０５に読みだされ、ＣＰＵ２０３によって実行され、本フローチャートの処理が実現される。また、この説明では、例として遠隔から電源オン要求したＰＣを１０_ａとしている。
【００３０】
ＰＣ１０_ａからプリンタ２０へとネットワーク３０を介した遠隔より送信された電源オン要求情報を受信してリモートオン状態に移行すると（Ｓ４０１）、プリンタ２０のＣＰＵ２０３は、Ｓ４０２の処理を実行する。Ｓ４０２では、プリンタ２０のＣＰＵ２０３は、上記受信した電源オン要求情報から電源オン要求元のＰＣ１０_ａの情報を取得し、不揮発性メモリ２０９へと保持する。なお、上述の電源オン要求情報の一例を後述する図８に示す。また、ＰＣ１０からプリンタ２０に送信される電源オン要求情報の一例を後述する図９の９００_ａに示す。
【００３１】
次に、Ｓ４０３において、ＣＰＵ２０３は、ＰＣ１０_ａからプリンタ２０への印刷要求の有無を判定する。そして、Ｓ４０３において、ＰＣ１０_ａからプリンタ２０へと送信された印刷データを受信した場合、ＣＰＵ２０３は、印刷要求が有りと判定し（Ｓ４０３でＹｅｓと判定し）、Ｓ４０５に移行する。Ｓ４０５では、ＣＰＵ２０３は、該印刷要求に基づいて通常の印刷処理を実行し、Ｓ４０４に移行する。
【００３２】
一方、Ｓ４０３において、ＰＣ１０_ａから印刷データを受信していない場合、ＣＰＵ２０３は、印刷要求が無いと判定し（Ｓ４０３でＮｏと判定し）、そのままＳ４０４に移行する。
【００３３】
Ｓ４０４では、ＣＰＵ２０３は、電源スイッチ２１６が押下されたか否かを判定する。そして、電源スイッチ２１６が押下されていないと判定した場合（Ｓ４０４でＮｏの場合）、ＣＰＵ２０３は、Ｓ４０３に移行し、再度、印刷要求の有無を判定する。
【００３４】
一方、電源スイッチ２１６が押下されたと判定した場合（Ｓ４０４でＹｅｓの場合）、ＣＰＵ２０３は、電源オン要求したＰＣを１０_ａのユーザとは異なるユーザにより電源スイッチ２１６がプリンタ２０の電源オフのために押下されたと判断し、Ｓ４０６に移行する。
【００３５】
Ｓ４０６では、ＣＰＵ２０３は、上記Ｓ４０２で保持したＰＣ１０_ａの情報をもとに、ＰＣ１０_ａに対して、本体スイッチ押下による電源オフ要求があったことを通知する。さらに、ＣＰＵ２０３は、ＰＣ１０_ａからプリンタ２０の電源オフ承認の有無の応答を受け付ける。なお、この通知を受けたＰＣ１０_ａは、後述する図１１（ａ）に示すような操作画面をディスプレイ３１３に表示し、ユーザからのプリンタ２０の電源オフ承認の有無の操作を受け付ける。そして、ユーザ操作に応じて、該ＰＣ１０_ａは、プリンタ２０の電源オフ承認の有無の応答を、プリンタ２０に送信する。
【００３６】
また、Ｓ４０７において、ＣＰＵ２０３は、プリンタ２０に備わっている操作部２０２の表示部（不図示）に遠隔からの電源オン起動されていること（リモートオン状態であること）を表示させる。これは、本体スイッチ２１６を押下したユーザに対して、この時点では未だ、プリンタ２０は電源オフ処理を行えないことを通知するためである。なお、Ｓ４０６とＳ４０７の処理は、いずれが先であってもよい。
【００３７】
次に、Ｓ４０８において、ＣＰＵ２０３は、ＰＣ１０_ａからプリンタ２０の電源オフを承認する旨の応答を受信したか否かを判定する。そして、ＰＣ１０_ａからプリンタ２０の電源オフを承認する旨の通知を受信したと判定した場合（Ｓ４０８でＹｅｓの場合）、ＣＰＵ２０３は、Ｓ４１１に移行する。
【００３８】
Ｓ４１１では、ＣＰＵ２０３は、プリンタ２０での印刷を行わないと判断し、プリンタ２０の操作部２０２上の表示部に、プリンタ２０の電源オフを開始する旨の情報を表示し、その旨を電源スイッチ２１６を押下したユーザに通知する。
【００３９】
次に、Ｓ４１２において、ＣＰＵ２０３は、プリンタ２０での印刷を行わないと判断し、シャットダウン処理を開始する。さらに、Ｓ４２３において、ＣＰＵ２０３は、上記Ｓ４０２で保持したＰＣ１０_ａの情報を消去し、該情報の消去後、プリンタ２０の電源をオフする（Ｓ４１４）。
【００４０】
また、上記Ｓ４０８において、ＰＣ１０_ａからプリンタ２０の電源オフを承認しない旨の応答を受信したと判定した場合（Ｓ４０８でＮｏの場合）、ＣＰＵ２０３は、Ｓ４０９に移行する。
【００４１】
Ｓ４０９では、ＣＰＵ２０３は、プリンタ２０の操作部２０２上の表示部に、印刷待ちのためプリンタ２０の電源オフが不可であることを表示し、電源スイッチ２１６を押下したユーザにその旨を通知する。
【００４２】
次に、Ｓ４１０において、ＣＰＵ２０３は、所定時間内にＰＣ１０_ａからプリンタ２０への印刷要求が有ったかどうか判定する。なお、この所定時間は、プリンタ２０の管理者が操作部２０２またはＰＣ１０等から設定されて不揮発性メモリ２０９等に保持される構成でもよいし、変更設定が不可能な一定時間でもよい。
【００４３】
そして、所定時間内にＰＣ１０_ａから印刷データを受信していなかった場合、ＣＰＵ２０３は、所定時間内に印刷要求が無かったと判定し（Ｓ４１０でＮｏと判定し）、Ｓ４１１に移行する。即ち、この後、プリンタ２０はシャットダウンされ、電源オフとなる。
【００４４】
一方、所定時間内にＰＣ１０_ａからプリンタ２０へと送信された印刷データを受信した場合、ＣＰＵ２０３は、所定時間内に印刷要求が有りと判定し（Ｓ４１０でＹｅｓと判定し）、Ｓ４０５に移行する。
【００４５】
以上示したように、プリンタ２０のＣＰＵ２０３は、リモートオンされた後に電源スイッチ２１６が押下された場合、その旨をリモートオンの要求元に通知するとともに、操作部２０２にリモートオンされていることを示す表示を行う。さらに、ＣＰＵ２０３は、上記通知に応じて要求元から電源オフを承諾する旨の応答を受信した場合、操作部２０２に電源オフを開始することを示す表示を行い、プリンタ２０の電源をオフする制御を行う。一方、上記通知に応じて要求元から電源オフを承諾しない旨の応答を受信した場合、ＣＰＵ２０３は、操作部２０２に印刷待ちのため電源オフ不可を示す表示を行い、所定時間、印刷要求を待機する。そして、所定時間内に印刷要求がない場合、ＣＰＵ２０３は、操作部２０２に電源オフを開始することを示す表示を行い、プリンタ２０の電源をオフする制御を行う。このような構成により、リモートオン要求元のユーザはプリンタ２０本体の電源スイッチ２１６がオフされたことを認識するとともに、該電源オフ要求を承認又は否認することができ、ユーザの利便性が向上する。
【００４６】
次に、プリンタ２０側に電源オフ時間に自動的に電源をオフする設定（オートシャットダウン設定ともいう）がされている場合について、図５のフローチャートを用いて説明する。
図５は、画像形成装置の動作の一例を示すフローチャートであり、特に電源オフ時間が設定されている場合の動作を示す。なお、本フローチャートに係る制御プログラムは、ＲＯＭ２０４に記憶されており、ＲＡＭ２０５に読みだされ、ＣＰＵ２０３によって実行され、本フローチャートの処理が実現される。また、この説明では、例として遠隔から電源オン要求したＰＣを１０_ａとしている。
【００４７】
まず、Ｓ４０１及びＳ４０２は図４と同一の処理であるので説明を省略する。次に、Ｓ５０３において、ＣＰＵ２０３は、プリンタ２０においてオートシャットダウン設定（電源オフ時間の設定）がされているか否かを判定する。そして、オートシャットダウン設定がされていないと判定した場合（Ｓ５０３でＮｏの場合）、ＣＰＵ２０３は、Ｓ５０６において、通常の処理を行う。
【００４８】
一方、上記Ｓ５０３において、オートシャットダウン設定（電源オフ時間の設定）がされていると判定した場合（Ｓ５０３でＹｅｓの場合）、ＣＰＵ２０３は、Ｓ５０４に移行する。Ｓ５０４では、ＣＰＵ２０３は、設定されている電源オフ時間が間近である（電源オフ時間まで所定時間以内に近づいている）か否かを判定する。なお、この所定時間は、プリンタ２０の管理者が操作部２０２またはＰＣ１０等から設定されて不揮発性メモリ２０９等に保持される構成でもよいし、変更設定が不可能な一定時間でもよい。
【００４９】
そして、上記Ｓ５０４において、設定されている電源オフ時間が間近でない（電源オフ時間までの残り時間が所定時間を超えており、まだ十分に余裕がある）と判定した場合（Ｓ５０４でＮｏの場合）、ＣＰＵ２０３は、Ｓ５０５に移行する。Ｓ５０５では、ＣＰＵ２０３は、上記Ｓ４０２で保持したＰＣ１０_ａの情報をもとに、ＰＣ１０_ａに対して、プリンタ２０の設定されている電源オフ時間を通知し、Ｓ５０６において、電源オフ時間まで通常の処理を行う。なお、上記の通知を受けたＰＣ１０_ａは、上記の通知内容をディスプレイ３１３に表示する。これにより、リモートオン要求元のＰＣ１０_ａのユーザは、プリンタ２０の電源オフ時間を認識することができる。
【００５０】
一方、上記Ｓ５０４において、設定されている電源オフ時間が間近である（所定時間以内である）と判定した場合（Ｓ５０４でＮｏの場合）、ＣＰＵ２０３は、Ｓ５０７に移行する。Ｓ５０７では、ＣＰＵ２０３は、上記Ｓ４０２で保持したＰＣ１０_ａの情報をもとに、ＰＣ１０_ａに対して、電源オフ時間までの残り時間を通知する。なお、この通知を受けたＰＣ１０_ａは、上記の通知内容をディスプレイ３１３に表示する。これにより、リモートオン要求元のＰＣ１０_ａのユーザは、プリンタ２０の電源オフ時間までの残り時間を認識することができる。
【００５１】
上記Ｓ５０７の通知の後、プリンタ２０は、設定されている電源オフ時間まで、印刷処理待ちの状態となる（Ｓ５０８，Ｓ５０９）。以下、詳細に説明する。
Ｓ５０８では、ＣＰＵ２０３は、プリンタ２０への印刷要求が有ったかどうかを判定する。そして、印刷データを受信した場合、ＣＰＵ２０３は、印刷要求が有ったと判定し（Ｓ５０８でＹｅｓと判定し）、Ｓ５０６において、該印刷要求に基づいて通常の印刷処理を行う。即ち、電源オフ時間に達するまでに印刷要求があった場合、印刷処理を行う。
【００５２】
一方、上記Ｓ５０８において、印刷データを受信していない場合、ＣＰＵ２０３は、印刷要求が無いと判定し（Ｓ５０８でＮｏと判定し）、Ｓ５０９に移行する。Ｓ５０９では、ＣＰＵ２０３は、電源オフ時間になったかどうかを判定する。そして、電源オフ時間になっていないと判定した場合（Ｓ５０９でＮｏの場合）、ＣＰＵ２０３は、Ｓ５０８に移行し、再度、印刷要求の有無を判定する。
【００５３】
一方、上記Ｓ５０９において、電源オフ時間になったと判定した場合（Ｓ５０９でＹｅｓの場合）、ＣＰＵ２０３は、Ｓ５１０に移行する。Ｓ５１０では、ＣＰＵ２０３は、上記Ｓ４０２で保持したＰＣ１０_ａの情報をもとに、ＰＣ１０_ａに対して、プリンタ２０のシャットダウン処理を開始する旨を通知する。即ち、電源オフ時間まで印刷要求がなかった場合、ＰＣ１０_ａに対して、シャットダウン処理の開始を通知する。なお、この通知を受けたＰＣ１０_ａは、上記の通知内容をディスプレイ３１３に表示する。これにより、リモートオン要求元のＰＣ１０_ａのユーザは、プリンタ２０のシャットダウンが開始されることを認識することができる。
【００５４】
次に、Ｓ５１１において、ＣＰＵ２０３は、シャットダウン処理を開始する。さらに、Ｓ５１２において、ＣＰＵ２０３は、上記Ｓ４０２で保持したＰＣ１０_ａの情報を消去し、該情報の消去後、プリンタ２０の電源をオフする（Ｓ５１３）。
【００５５】
以上示したように、プリンタ２０のＣＰＵ２０３は、オートシャットダウンの電源オフ時間設定がされている場合、リモートオンされた後に、電源オフ時間をリモートオンの要求元に通知する。なお、電源オフ時間までの残り時間が所定時間以内の場合は、該残り時間をリモートオンの要求元に通知する。そして、電源オフ時間になると、シャットダウンを開始することを、リモートオンの要求元に通知し、シャットダウンを開始する。このような構成により、リモートオン要求元のユーザはオートシャットダウン時間又はその残り時間を認識することができ、ユーザの利便性が向上する。なお、上記Ｓ５０７の通知を受けたＰＣ１０では、図１１（ｂ）のような画面を表示し、該ＰＣ１０のユーザは、該ＰＣ１０から所定時間だけプリンタ２０の電源オフまでの時間を延長する指示をプリンタ２０に通知することができるようにしてもよい。この場合、プリンタ２０のＣＰＵ２０３は、この延長指示を受信すると、所定時間、電源オフ時間を延長するように制御するものとする。この構成により、ユーザの利便性を向上することができる。
【００５６】
次に、他のＰＣから遠隔操作でプリンタ２０に対して、電源オフ要求があった場合について、図６のフローチャートを用いて説明する。
図６は、画像形成装置の動作の一例を示すフローチャートであり、特に遠隔制御により電源オンした後に他のＰＣから電源オフ要求があった場合の動作を示す。なお、本フローチャートに係る制御プログラムは、ＲＯＭ２０４に記憶されており、ＲＡＭ２０５に読みだされ、ＣＰＵ２０３によって実行され、本フローチャートの処理が実現される。また、この説明では、例として遠隔から電源オン要求したＰＣを１０_ａ、電源オフ要求した他のＰＣを１０_ｂとしている。
【００５７】
まず、Ｓ４０１及びＳ４０２は図４と同一の処理であるので説明を省略する。次に、Ｓ６０３において、ＣＰＵ２０３は、電源オン要求したＰＣ１０_ａとは異なる他のプリンタＰＣ１０からプリンタ２０への電源オフ要求の有無を判定する。なお、ＰＣ１０からプリンタ２０に送信される電源オフ要求情報の一例を後述する図９の９００_ｂに示す。
【００５８】
そして、ＰＣ１０_ｂから電源オフ要求が有ったと判定し（Ｓ６０３でＹｅｓと判定し）、Ｓ６０４に移行する。Ｓ６０４では、ＣＰＵ２０３は、上記Ｓ６０２で不揮発性メモリ２０９に保持したＰＣ１０_ａの情報をもとに、ＰＣ１０_ａに対して、他のＰＣから電源オフ要求があったことを通知する。さらに、ＣＰＵ２０３は、ＰＣ１０_ａからプリンタ２０の電源オフ承認の有無の応答を受け付ける。なお、この通知を受けたＰＣ１０_ａは、後述する図１１（ｃ）に示すような操作画面をディスプレイ３１３に表示し、ユーザからのプリンタ２０の電源オフ承認の有無の操作を受け付ける。そして、ユーザ操作に応じて、該ＰＣ１０_ａは、プリンタ２０の電源オフ承認の有無の応答を、プリンタ２０に送信する。
【００５９】
また、Ｓ６０５において、ＣＰＵ２０３は、電源オフ要求元のＰＣ１０_ｂに対して、上記受信した電源オフ要求情報をもとに、ＰＣ１０_ａから電源オン起動されていること（リモートオン状態であること）を通知する。なお、この通知を受けたＰＣ１０_ｂは、この通知内容をディスプレイ３１３に表示する。これにより、ＰＣ１０_ｂのユーザは、この時点では未だ、プリンタ２０は電源オフ処理を行えないことを認識することができる。なお、Ｓ６０４とＳ６０５の処理は、いずれが先であってもよい。
【００６０】
次に、Ｓ６０６において、ＣＰＵ２０３は、ＰＣ１０_ａからプリンタ２０の電源オフを承認する旨の応答を受信したか否かを判定する。そして、ＰＣ１０_ａからプリンタ２０の電源オフを承認する旨の通知を受信したと判定した場合（Ｓ６０６でＹｅｓの場合）、ＣＰＵ２０３は、Ｓ６０７に移行する。
【００６１】
Ｓ６０７では、ＣＰＵ２０３は、ＰＣ１０_ｂに対して、上記受信した電源オフ要求情報をもとに、プリンタ２０の電源オフが可能であることを通知する。この通知を受けたＰＣ１０_ｂは、この通知内容をディスプレイ３１３に表示する。これにより、ＰＣ１０_ｂのユーザは、プリンタ２０の電源オフが可能であることを認識することができる。
【００６２】
次に、Ｓ６０８において、ＣＰＵ２０３は、シャットダウン処理を開始する。さらに、Ｓ６０９において、ＣＰＵ２０３は、上記Ｓ４０２で保持したＰＣ１０_ａの情報を消去し、該情報の消去後、プリンタ２０の電源をオフする（Ｓ６１０）。
【００６３】
また、上記Ｓ６０６において、ＰＣ１０_ａからプリンタ２０の電源オフを承認しない旨の応答を受信したと判定した場合（Ｓ６０６でＮｏの場合）、ＣＰＵ２０３は、Ｓ６１１に移行する。
【００６４】
Ｓ６１１では、ＣＰＵ２０３は、ＰＣ１０_ｂに対して、上記受信した電源オフ要求情報をもとに、プリンタ２０の電源オフ要求をキャンセルすることを通知する。この通知を受けたＰＣ１０_ｂは、この通知内容をディスプレイ３１３に表示する。これにより、ＰＣ１０_ｂのユーザは、プリンタ２０の電源オフがキャンセルされることを認識することができる。
【００６５】
次に、Ｓ６１２において、ＣＰＵ２０３は、上記Ｓ６１１の通知の後、所定時間内にＰＣ１０_ａからプリンタ２０への印刷要求の有無を判定する。なお、この所定時間は、プリンタ２０の管理者が操作部２０２またはＰＣ１０等から設定されて不揮発性メモリ２０９等に保持される構成でもよいし、変更設定が不可能な一定時間でもよい。
【００６６】
そして、所定時間内にＰＣ１０_ａからプリンタ２０へと送信された印刷データを受信しなかった場合、ＣＰＵ２０３は、印刷要求が無しと判定し（Ｓ６１２でＮｏと判定し）、Ｓ６１３に移行する。Ｓ６１３では、ＣＰＵ２０３は、プリンタ２０に対する電源オフ要求の有無を判定する。そして、新たな電源オフ要求が無いと判定した場合（Ｓ６１３でＮｏの場合）、ＣＰＵ２０３は、Ｓ６１４に移行し、通常の処理を行う。一方、上記Ｓ６１３において、新たな電源オフ要求が有ったと判定した場合（Ｓ６１３でＹｅｓの場合）、ＣＰＵ２０３は、Ｓ６０８に移行する。
【００６７】
また、上記Ｓ６１２において、所定時間内にＰＣ１０_ａからプリンタ２０へと送信された印刷データを受信した場合、ＣＰＵ２０３は、印刷要求が有りと判定し（Ｓ６１１でＹｅｓと判定し）、Ｓ６１４に移行する。Ｓ６１４では、ＣＰＵ２０３は、該印刷要求に基づいて通常の印刷処理を実行し、Ｓ６１３に移行する。
【００６８】
また、上記Ｓ６０３において、他のＰＣ１０から電源オフ要求が無いと判定した場合（Ｓ６０３でＮｏの場合）、ＣＰＵ２０３は、Ｓ６１４において通常の処理を行い、Ｓ６１３に移行する。
【００６９】
以上示したように、プリンタ２０のＣＰＵ２０３は、リモートオンされた後に、リモートオンしたＰＣとは異なる他のＰＣから電源オフ要求があった場合、その旨をリモートオンの要求元に通知する。また、ＣＰＵ２０３は、上記他のＰＣにリモートオンされていることを示す表示を行う。さらに、ＣＰＵ２０３は、上記通知に応じてリモートオンの要求元から電源オフ要求を承諾する旨の応答を受信した場合、操作部２０２に電源オフを開始することを示す表示を行い、プリンタ２０の電源をオフする制御を行う。一方、上記通知に応じてリモートオンの要求元から電源オフ要求を承諾しない旨の応答を受信した場合、ＣＰＵ２０３は、上記他のＰＣに電源オフのキャンセルを通知し、所定時間、印刷要求を待機する。そして、所定時間内に印刷要求がない場合、ＣＰＵ２０３は、プリンタ２０の電源をオフする制御を行う。このような構成により、リモートオン要求元のユーザは他のユーザから電源オフ要求されていることを認識し、該電源オフ要求を承認又は否認することができ、ユーザの利便性が向上する。なお、Ｓ６１２でＮｏの場合、プリンタ２０の電源オフを行うことを上記他のＰＣ１０に通知して、プリンタ２０の電源をオフする制御を行うようにしてもよい。
【００７０】
次に、遠隔からの電源オン時にプリンタ２０が、用紙切れや等のエラー状態であり、印刷不可の状態の場合について、図７のフローチャートを用いて説明する。
図７は、画像形成装置の動作の一例を示すフローチャートであり、特に遠隔からの電源オン時にプリンタ２０が用紙切れや等のエラー状態であり印刷不可の状態の場合の動作を示す。なお、本フローチャートに係る制御プログラムは、ＲＯＭ２０４に記憶されており、ＲＡＭ２０５に読みだされ、ＣＰＵ２０３によって実行され、本フローチャートの処理が実現される。また、この説明では、例として遠隔から電源オン要求したＰＣを１０_ａとしている。
【００７１】
まず、Ｓ４０１及びＳ４０２は図４と同一の処理であるので説明を省略する。次に、Ｓ７０３において、ＣＰＵ２０３は、プリンタ２０がエラー状態か否かを判定する。そして、プリンタ２０がエラー状態でないと判定した場合（Ｓ７０３でＮｏの場合）、ＣＰＵ２０３は、Ｓ７０８において通常の処理を行う。
【００７２】
一方、上記Ｓ７０３において、プリンタ２０がエラー状態と判定した場合（Ｓ７０３でＹｅｓの場合）、ＣＰＵ２０３は、Ｓ７０４に移行する。Ｓ７０４では、ＣＰＵ２０３は、上記Ｓ４０２で保持したＰＣ１０_ａの情報をもとに、ＰＣ１０_ａに対して、プリンタ２０が使用不可状態であることを通知し、Ｓ７０５に移行する。上記の通知を受けたＰＣ１０_ａは、後述する図１１（ｄ）に示すような操作画面をディスプレイ３１３に表示する。
【００７３】
Ｓ７０５では、ＣＰＵ２０３は、シャットダウン処理を開始する。さらに、Ｓ７０６において、ＣＰＵ２０３は、上記Ｓ４０２で保持したＰＣ１０_ａの情報を消去し、該情報の消去後、プリンタ２０の電源をオフする（Ｓ７０７）。
【００７４】
以上示したように、プリンタ２０のＣＰＵ２０３は、プリンタ２０がエラー状態の場合、リモートオンされた後に、プリンタがエラー状態のため使用不可である旨をリモートオンの要求元に通知し、プリンタ２０の電源をオフする制御を行う。このような構成により、リモートオン要求元のユーザはプリンタがエラー状態のため使用できず電源オフされることを認識することができ、ユーザの利便性が向上する。なお、Ｓ７０４の通知に応答して、リモートオン要求元のＰＣから、プリンタ２０の電源オフを拒否する応答をプリンタ２０に指示することができるようにしてもよい。この場合、プリンタ２０のＣＰＵ２０３は、この拒否指示を受信すると、電源オフを行わないように制御するものとする。この構成により、例えば、紙なし等の軽微なエラーの場合にはプリンタ２０の電源を維持することができ、ユーザは、エラー解除後すぐにプリンタ２０を使用することができる。よって、ユーザの利便性を向上することができる。
【００７５】
なお、プリンタ２０のＣＰＵ２０３は、Ｓ４０２の処理後、図４のＳ４０３以降の処理、図５のＳ５０３以降の処理、図６のＳ６０３以降の処理、図７のＳ７０３以降の処理のいずれか１又は複数（全てでもよい）を並列して実行するものとする。
【００７６】
図８は、図４等のＳ４０２でプリンタ２０で保持する遠隔から電源オン要求したＰＣのＰＣ情報の一例を示す図である。
ＰＣ情報は、例えば、図８に示すように、ホスト名、ＩＰアドレス、ＭＡＣアドレス、ユーザ名等を含む。
【００７７】
図９は、遠隔のＰＣ１０からプリンタ２０に送信される電源オン要求情報及び電源オフ要求情報の一例を示す図である。
電源オン要求情報９００_ａ、電源オフ要求情報９００_ｂは、例えば、図９に示すように、ヘッダ部分に図８に示したＰＣ情報、本体部分に電源オンコマンドまたは電源オフコマンドを含むものである。
【００７８】
図１０は、プリンタ２０の状態と印刷要求、遠隔電源オン要求及び遠隔電源オフ要求の受付状態の関係の一例を示す図である。
図１０に示すように、遠隔からの電源オン要求は、基本的に遠隔からの電源オフ状態であるときに受信可能である。また、遠隔からの電源オフ要求は、基本的に遠隔からの電源オン状態、スリープ状態、スタンバイ状態であるときに受信可能である。また、遠隔からの印刷要求は、基本的に遠隔からの電源オン状態、スリープ状態、スタンバイ状態であるときに受信可能である。
【００７９】
図１１は、プリンタ２０からの通知内容を表示するリモートオン要求元のＰＣ１０の表示画面の一例を示す図である。
図１２は、プリンタ２０からリモートオン要求元のＰＣ１０への通知状態の一例を示す図である。
【００８０】
図１３は、特定のＰＣ１０又は特定のユーザにのみリモートオン実行を許可する場合の各ＰＣ１０でのプリンタ状態確認状況の一例を示す図である。
プリンタ２０の電源状態に応じて、ＰＣ１０側の確認表示が変更される。プリンタ２０は、ＰＣ１０からの問い合わせに応じて、プリンタ２０の状態をＰＣ１０に通知する。例えば、スタンバイ状態やリモートオン状態ではオン状態、スリープ状態ではスリープ状態、リモートオフ状態ではリモートオフ状態、電源スイッチ２１６又はオートシャットダウンで電源オフされた状態では電源オフ状態であることを通知する。ＰＣ１０は、プリンタ２０からの状態通知を受信すると、図１３に示すようなオン状態、スリープ状態、リモートオフ状態のアイコンを、確認画面に表示する。なお、オフ状態では、アイコンを表示しないが、グレー表示してもよい。また、「オン状態」のアイコンが表示されている場合、ＰＣ１０から、リモートオフ（遠隔からの電源オフ）要求を受け付可能である。また、「リモートオフ状態」のアイコンが表示されている場合、ＰＣ１０から、リモートオン（遠隔からの電源オン）要求を受け付可能である。
【００８１】
以下、リモートオン可能なＰＣ又はユーザを限定する設定がなされている場合について説明する。リモートオフ中では、前記リモートオン可能に設定されたＰＣの確認画面では、図１３のＰＣ１０_ａに示すように、プリンタ２０が表示され、リモートオン要求を受け付け可能である。また、リモートオン可能に設定されていないＰＣの確認画面では、図１３のＰＣ１０_ｂ，ＰＣ１０_ｃに示すように、該確認画面からプリンタ２０が消える（又はグレー表示等される）。即ち、リモートオン可能に設定されていないＰＣ等の確認画面は、上記プリンタ２０側の電源スイッチ２１６やオートシャットダウンされた場合と同様の表示となり、リモートオン要求を受け付けないように構成されている。
【００８２】
以上示したように、本発明によれば、プリンタ２０を遠隔から電源オン要求した後、印刷要求前に、他のユーザ等が電源オフを要求した場合、該遠隔から電源オンしたユーザはそのことを認知して電源オフ要求を否認等できる。よって、電源オフされたことを知らずに印刷要求してしまったり、再度プリンタ２０を電源オンするといった煩雑な操作の必要がなく、ユーザの利便性が向上することができる。よって、本発明では、プリンタ２０の省電力と、プリンタ２０を遠隔から電源オンして利用するユーザの利便性の双方を実現することができる。このように、本本発明によれば、環境保護とユーザ利便性の双方を高次元に実現する印刷環境を構築できる。
【００８３】
なお、上述した各種データの構成及びその内容はこれに限定されるものではなく、用途や目的に応じて、様々な構成や内容で構成されることは言うまでもない。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００８４】
（他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００８５】
１０_ａ，１０_ｂ，１０_ｃ    ＰＣ
２０    プリンタ
２０２    操作部
２０３    ＣＰＵ
２１６    電源スイッチ
【図１】
2015003451.tif 000003
【図２】
2015003451.tif 000004
【図３】
2015003451.tif 000005
【図４】
2015003451.tif 000006
【図５】
2015003451.tif 000007
【図６】
2015003451.tif 000008
【図７】
2015003451.tif 000009
【図８】
2015003451.tif 000010
【図９】
2015003451.tif 000011
【図１０】
2015003451.tif 000012
【図１１】
2015003451.tif 000013
【図１２】
2015003451.tif 000014
【図１３】
2015003451.tif 000015